(57)【特許請求の範囲】
【請求項１】
光発電装置が生成した電荷を蓄積する電源装置であって、
前記光発電装置が生成した電荷を蓄積する第１の蓄電部と、
前記第１の蓄電部の静電容量よりも大きい静電容量を有する第２の蓄電部と、
前記第１の蓄電部の前記光発電装置への接続である第１の接続と、前記第１の蓄電部の前記第２の蓄電部への接続である第２の接続とを、交互に切り替える接続切替部と、
を備え、
前記接続切替部は、前記第１の接続と前記第２の接続とを定期的に切り替えることを特徴とする電源装置。
【請求項２】
前記接続切替部は、前記第１の接続を、前記第１の蓄電部が放電された状態から前記光発電装置によって当該光発電装置の出力電圧まで充電される期間以上維持することを特徴とする請求項１に記載の電源装置。
【請求項３】
前記第１の蓄電部の静電容量は、前記光発電装置によって前記第１の蓄電部を放電された状態から充電する場合に、前記第１の接続が維持する期間内に前記第１の蓄電部を前記光発電装置の出力電圧まで充電可能な静電容量であることを特徴とする請求項１または２に記載の電源装置。
【請求項４】
前記接続切替部は、前記第２の接続を、前記第１の蓄電部に蓄積された電荷が放電状態の前記第２の蓄電部へ移動して前記第１の蓄電部から前記第２の蓄電部へ流れる電流の値が所定の値よりも低くなるまでの期間以上維持することを特徴とする、請求項１〜３のいずれか一つに記載の電源装置。
【請求項５】
前記第１の蓄電部から前記第２の蓄電部へ流れる電流を、前記所定の値としての、前記第２の蓄電部を充電する電流の許容値以下に制限する電流制限部を更に備えことを特徴とする、請求項４に記載の電源装置。
【請求項６】
光源を含むスキャナヘッドが原稿に対して相対的に移動することにより前記原稿を光学的に走査して画像情報を生成するスキャナに対して電源供給を行うスキャナ用電源装置であって、
前記スキャナヘッドに従って移動する移動部と、
前記スキャナ本体に設けられる本体部と、を備え、
前記移動部は、
前記光源の光を受光することにより電荷を生成する光発電部と、
前記光発電部が生成した電荷を蓄積する第１の蓄電部と、
前記移動部を前記本体部と電気的に接続する第１の接続端子と、
前記第１の蓄電部の前記光発電部への接続と、前記第１の蓄電部の前記第１の接続端子への接続とを、交互に切り替える接続切替部と、を備え、
前記本体部は、
前記第１の接続端子を介して当該本体部を前記移動部と電気的に接続する第２の接続端子と、
前記第１の接続端子及び前記第２の接続端子を介して前記第１の蓄積部に蓄積された電荷を受け取る第２の蓄電部とを有し、
前記第１の接続端子と前記第２の接続端子とは、前記スキャナヘッドが前記スキャナ本体に対して所定の配置状態となった場合に接続され、
前記接続切替部は、前記第１の接続端子と前記第２の接続端子が接続された場合に、前記第１の蓄電部と前記第１の接続端子とを接続することを特徴とするスキャナ用電源装置。
【請求項７】
前記第２の接続端子は、前記本体部に複数設けられ、
前記第１の接続端子と前記複数の第２の接続端子とは、前記スキャナヘッドと前記スキャナ本体との配置状態のうち、前記スキャナヘッドが前記原稿に対して相対的に移動する間の複数の配置状態において夫々接続されることを特徴とする請求項６に記載のスキャナ用電源装置。
【請求項８】
前記第２の蓄電部は、前記第１の蓄電部の静電容量よりも大きい静電容量を有することを特徴とする請求項７に記載のスキャナ用電源装置。
【請求項９】
前記スキャナ本体に電力を供給する第３の蓄電部と、
前記第２の蓄電部に蓄積された電荷を前記第３の蓄電部に移動させる電荷移動部と、
前記第２の蓄電部から前記第３の蓄電部へ流れる電流を前記所定の値以下に制限する電流制限部を更に有し、
前記第１の蓄電部及び前記第２の蓄電部はコンデンサによって構成されることを特徴とする、請求項７または８に記載のスキャナ用電源装置。
【請求項１０】
画像形成装置であって、
光源を含むスキャナヘッドが原稿に対して相対的に移動することにより前記原稿を光学的に走査して画像情報を生成するスキャナと、
前記スキャナに対して電源供給を行う電源装置とを備え、
前記電源装置は、
前記スキャナヘッドに従って移動する移動部と、
前記スキャナ本体に設けられる本体部と、を備え、
前記移動部は、
前記光源の光を受光することにより電荷を生成する光発電部と、
前記光発電部が生成した電荷を蓄積する第１の蓄電部と、
前記移動部を前記本体部と電気的に接続する第１の接続端子と、
前記第１の蓄電部の前記光発電部への接続と、前記第１の蓄電部の前記第１の接続端子への接続とを、交互に切り替える接続切替部と、を備え、
前記本体部は、
前記第１の接続端子を介して当該本体部を前記移動部と電気的に接続する第２の接続端子と、
前記第１の接続端子及び前記第２の接続端子を介して前記第１の蓄積部に蓄積された電荷を受け取る第２の蓄電部とを有し、
前記第１の接続端子と前記第２の接続端子とは、前記スキャナヘッドが前記スキャナ本体に対して所定の配置状態となった場合に接続され、
前記接続切替部は、前記第１の接続端子と前記第２の接続端子が接続された場合に、前記第１の蓄電部と前記第１の接続端子とを接続することを特徴とする画像形成装置。
【発明の詳細な説明】
【技術分野】
【０００１】
本発明は、電源装置、スキャナ用電源装置及び画像形成装置に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な融合機として構成されることが多い。このような画像処理装置に対する要求の１つとして、省電力化に対する要求がある。省電力化の要求に応える画像処理装置の例として、スキャナ光源の光を太陽光発電等に用いる光発電機構で受光することにより予備電源を充電する方法が提案されている（例えば特許文献１参照）。
【０００３】
【特許文献１】特開２００４−８８６４９号公報
【発明の開示】
【発明が解決しようとする課題】
【０００４】
特許文献１に記載の発明においては、スキャナ光源を受けた光発電器の発電電力によりコンデンサ等の蓄電手段を充電し、当該蓄電手段の容量が所定の電圧に達した場合に、予備電源として用いる。しかしながら、光発電器の光電変換効率や照射光量の不足などにより、発電電流として高い電流値を確保出来ない場合があり得る。このような場合、蓄電手段の容量によっては、充電に非常に時間がかかる。
【０００５】
他方、蓄電手段の容量を低くした場合、短時間で所定電圧まで充電することが可能であるが、蓄積可能な電荷が少ないため電源としての耐用時間が短く、予備電源としての性能を確保することができない。尚、このような課題は、画像処理装置のスキャナ光源による光発電に限らず、出力可能な電流の値が低い発電手段による容量の充電において、同様に発生し得る。
【０００６】
本発明は、上記に鑑みてなされたものであって、出力電流値に限界のある発電部によって蓄電部を充電する場合の充電を好適に行うことができる電源装置、スキャナ用電源装置及び画像形成装置を提供することを目的とする。
【課題を解決するための手段】
【０００７】
本発明にかかる電源装置は、光発電装置が生成した電荷を蓄積する電源装置であって、前記光発電装置が生成した電荷を蓄積する第１の蓄電部と、前記第１の蓄電部の静電容量よりも大きい静電容量を有する第２の蓄電部と、前記第１の蓄電部の前記光発電装置への接続である第１の接続と、前記第１の蓄電部の前記第２の蓄電部への接続である第２の接続とを、交互に切り替える接続切替部と、を備え、前記接続切替部は、前記第１の接続と前記第２の接続とを定期的に切り替えることを特徴とする。
【０００８】
本発明にかかるスキャナ用電源装置は、光源を含むスキャナヘッドが原稿に対して相対的に移動することにより前記原稿を光学的に走査して画像情報を生成するスキャナに対して電源供給を行うスキャナ用電源装置であって、前記スキャナヘッドに従って移動する移動部と、前記スキャナ本体に設けられる本体部と、を備え、前記移動部は、前記光源の光を受光することにより電荷を生成する光発電部と、前記光発電部が生成した電荷を蓄積する第１の蓄電部と、前記移動部を前記本体部と電気的に接続する第１の接続端子と、前記第１の蓄電部の前記光発電部への接続と、前記第１の蓄電部の前記第１の接続端子への接続とを、交互に切り替える接続切替部と、を備え、前記本体部は、前記第１の接続端子を介して当該本体部を前記移動部と電気的に接続する第２の接続端子と、前記第１の接続端子及び前記第２の接続端子を介して前記第１の蓄積部に蓄積された電荷を受け取る第２の蓄電部とを有し、前記第１の接続端子と前記第２の接続端子とは、前記スキャナヘッドが前記スキャナ本体に対して所定の配置状態となった場合に接続され、前記接続切替部は、前記第１の接続端子と前記第２の接続端子が接続された場合に、前記第１の蓄電部と前記第１の接続端子とを接続することを特徴とする。
【０００９】
本発明にかかる画像形成装置は、光源を含むスキャナヘッドが原稿に対して相対的に移動することにより前記原稿を光学的に走査して画像情報を生成するスキャナと、前記スキャナに対して電源供給を行う電源装置とを備え、前記電源装置は、前記スキャナヘッドに従って移動する移動部と、前記スキャナ本体に設けられる本体部と、を備え、前記移動部は、前記光源の光を受光することにより電荷を生成する光発電部と、前記光発電部が生成した電荷を蓄積する第１の蓄電部と、前記移動部を前記本体部と電気的に接続する第１の接続端子と、前記第１の蓄電部の前記光発電部への接続と、前記第１の蓄電部の前記第１の接続端子への接続とを、交互に切り替える接続切替部と、を備え、前記本体部は、前記第１の接続端子を介して当該本体部を前記移動部と電気的に接続する第２の接続端子と、前記第１の接続端子及び前記第２の接続端子を介して前記第１の蓄積部に蓄積された電荷を受け取る第２の蓄電部とを有し、前記第１の接続端子と前記第２の接続端子とは、前記スキャナヘッドが前記スキャナ本体に対して所定の配置状態となった場合に接続され、前記接続切替部は、前記第１の接続端子と前記第２の接続端子が接続された場合に、前記第１の蓄電部と前記第１の接続端子とを接続することを特徴とする。
【発明の効果】
【００１０】
本発明によれば、出力電流値に限界のある発電部によって蓄電部を充電する場合の充電を好適に行うことが可能となるという効果を奏する。
【発明を実施するための最良の形態】
【００１１】
以下に添付図面を参照して、この発明にかかる電源装置、スキャナ用電源装置及び画像形成装置の最良な実施の形態を詳細に説明する。以下に示す実施の形態の電源装置は、原稿画像を読み取るスキャナに対して電力供給を行うものである。また、以下に示す実施の形態の電源装置は、複写機、ファクシミリ装置、スキャナ装置等の他、コピー機能、ファクシミリ機能、スキャナ機能を一つの筐体に含めた複合機等のスキャナ部を有する画像形成装置のスキャナ部に電力供給を行うものであれば、いずれの装置にも適用可能である。
【００１２】
（実施の形態１）
図１は、実施の形態１に係る電源装置１００の回路構成を模式的に示すブロック図である。本図１に示すように、本実施の形態に係る電源装置１００は、光発電部１０１、スイッチ回路１０２、コンデンサ１０３、定電流・定電圧回路１０４、バッテリー１０５及び端子１０７ａ、１０７ｂを有する。光発電部１０１は、光電変換機能により光エネルギーを電力に変換する発電装置であり、典型的には太陽電池等によって構成される。コンデンサ１０３は、光発電部１０１の発電電力を一時的に蓄える蓄電部となる。定電流・定電圧回路１０４は、コンデンサ１０３からバッテリー１０５に流れる電流を定電流に制御し若しくはバッテリー１０５に係る電圧を定電圧に制御する。定電流・定電圧回路１０４は、バッテリー１０５の電圧に応じて定電流・定電圧の制御を切り替える。
【００１３】
バッテリー１０５は、コンデンサ１０３に蓄えられた電荷を蓄積する蓄電部である。バッテリー１０５は本実施の形態の電源装置１００において最終的に電荷を蓄える部分である。即ち、本実施の形態に係る電源装置１００を予備電源等として用いる際は、バッテリー１０５に蓄積された電荷が用いられる。スイッチ回路１０２は、発電側端子１０２ａと蓄電側端子１０２ｂとを有し、コンデンサ１０３をいずれか一方に接続する。発電側端子１０２ａが選択されている場合、コンデンサ１０３は光発電部１０１に接続されており、光発電部１０１の発電電力がコンデンサ１０３に蓄えられる。他方、蓄電側端子１０２ｂが選択されている場合、コンデンサ１０３は定電流・定電圧回路１０４及びバッテリー１０５に接続されており、コンデンサ１０３に蓄えられた電化がバッテリー１０５に移しかえられる。端子１０７ａ、１０７ｂは、電源供給対象の装置にバッテリー１０５に蓄積された電力を供給する端子である。
【００１４】
光発電部１０１の出力特性を図２に示す。図２は、光発電部１０１を所定の負荷に接続し、所定の光量を照射した場合の光発電部１０１の出力特性を示すグラフである。図２において、縦軸は光発電部１０１から負荷に流れる電流を示し、横軸は光発電部１０１の出力電圧を示す。電流ＩSCは、出力を短絡状態にした場合に光発電部１０１から負荷に流れる電流であり、電圧ＶOCは、出力を開放とした場合の光発電部１０１の出力電圧である。スイッチ回路１０２が発電側端子１０２ａを選択し、コンデンサ１０３に電荷が蓄積されていない状態から光発電部１０１がコンデンサ１０３の充電を開始すると、光発電部１０１の出力電流はＩSCからスタートし、コンデンサ１０３に蓄積される電荷に応じて出力電圧が上昇すると共に出力電流が低下し、電圧ＶOCに達すると定常状態となる。
【００１５】
光発電部１０１の出力（電力）は図２に示すグラフ上における電流値と電圧値との積により示される。即ち、図２に示すグラフの原点とグラフ上の点とを対角とする長方形の面積が最大となる点ＰMAXが光発電部１０１の最大出力点である。本実施の形態に係る最大出力点ＰMAXにおける電流値をＩSPMとし、電圧値をＶOPMとする。
【００１６】
図３−１、３−２は、本実施の形態に係る電源装置１００において、光発電部１０１がコンデンサ１０３を充電する際の時間経過に伴う電流、電圧を示す図である。図３−１は、光発電部１０１がコンデンサ１０３を充電開始してからの時間経過に対する光発電部１０１の出力電流値を示す。また、図３−２は、光発電部１０１がコンデンサ１０３を充電開始してからの時間経過に対する光発電部１０１の出力電圧即ち、コンデンサ１０３の充電電圧を示す。図３−１、３−２においては、コンデンサ１０３の静電容量がＣ1、Ｃ2、Ｃ3の夫々の場合におけるグラフを示す。ここで、Ｃ1、Ｃ2、Ｃ3の関係は、Ｃ1＜Ｃ2＜Ｃ3となっている。また、ｔ1、ｔ2、ｔ3は、静電容量がＣ1、Ｃ2、Ｃ3の場合において、コンデンサ１０３の充電が完了までに要する時間を示す。ｔ1、ｔ2、ｔ3の関係は、ｔ1＜ｔ2＜ｔ3である。
【００１７】
図３−１、３−２に示すように、コンデンサ１０３の静電容量が大きいほど充電完了に要する時間が長くなる。この時間は、主に光発電部１０１の内部インピーダンスとコンデンサ１０３の時定数によって定まる。即ち、コンデンサ１０３の静電容量が大きければそれだけ多くの電荷を蓄えることが可能であるが、所望の電圧まで充電するために要する時間も長くなる。他方、静電容量を低くすれば、短時間で所望の電圧まで充電することが可能であるが、蓄積可能な電荷量が少なくなる。また、光発電部１０１が出力可能な電流ＩSCの値が低ければ、それだけコンデンサ１０３の充電完了に際して長い時間を要する。
【００１８】
次に、図４を参照して、本実施の形態に係る電源装置１００のバッテリー１０５の充電特性について説明する。図４は、横軸がバッテリー１０５の充電を開始してからの経過時間を示し、縦軸がバッテリー１０５の充電電流及び充電容量を示す。図４には、ａ〜ｄの４つのグラフを示す。これらのグラフのうち、本実施の形態にかかる例は、ａ、ｂである。ａは、定電流・定電圧回路１０４を介してバッテリー１０５を充電した場合の充電電流の変化を時系列に示すグラフである。また、ｂは、ａの態様によってバッテリー１０５が充電される場合の充電容量の変化を時系列に示すグラフである。
【００１９】
本実施の形態において、バッテリー１０５の充電は、定電流・定電圧回路１０４によって制御される。定電流・定電圧回路１０４は、バッテリー１０５の充電開始当初、定電流によりバッテリー１０５を充電する。このとき、定電流・定電圧回路１０４がバッテリー１０５を充電する電流値を１Ｃ電流とする。この１Ｃ電流とは、バッテリー１０５の充電容量に基づいて定められる電流値であり、バッテリー１０５の充電において許容される電流値である。即ち、定電流・定電圧回路１０４は、バッテリー１０５の充電において流れる電流を制限する役割を果たす。定電流・定電圧回路１０４はバッテリー１０５の端子電圧を監視しており、図４に示すタイミングｔvにおいて、バッテリー１０５の充電電圧が所定値に達すると、定電流充電から定電圧充電に切り替える。この場合において、定電流・定電圧回路１０４は、バッテリー１０５が所定の電圧即ち定格容量を超えて充電されてしまうことを制限する。そして、図４に示すタイミングｔfにおいて、バッテリー１０５の充電容量が定格容量に達し、充電が完了する。
【００２０】
これに対して、図４に示すグラフｃ、ｄは、本実施の形態の比較例を示すグラフである。ｃは、光発電部１０１が直接バッテリー１０５を充電する場合における充電電流の変化を時系列に示すグラフである。また、ｄは、ｃの態様によってバッテリー１０５が充電される場合の充電容量の変化を時系列に示すグラフである。上述したように、光発電部１０１の出力電流は、ＩSCが最大であるところ、この電流ＩSCの値は、一般的な充電電池の１Ｃ電流の値に比べて低い。従って、図４のグラフｄで示すように、光発電部１０１でバッテリー１０５を直接充電する場合、バッテリー１０５を定格容量まで充電するために非常に長い時間を要する。本実施例は、光発電部１０１とバッテリー１０５との間にコンデンサ１０３を設け、コンデンサ１０３の容量を調整することにより、光発電部１０１によるバッテリー１０５の充電を好適に行うことをその要旨とする。
【００２１】
次に、本実施の形態に係る電源装置１００の充電動作について説明する。図５は、本実施の形態に係る電源装置１００のバッテリー１０５の充電動作を示すグラフ及びタイミングチャートである。図５に示すグラフは、本実施例に係る電源装置１００においてバッテリー１０５の充電電流及び充電容量の変化を時系列に示すグラフである。また、図５に示すタイミングチャートは、図５に示すグラフと共通の時間軸において、スイッチ回路１０２が発電側端子１０２ａと蓄電側端子１０２ｂとのいずれの端子を選択しているかを示す。尚、図５に示す期間Ｔ1〜Ｔ9においては、常に光発電部１０１に所定の光量が照射されているものとする。
【００２２】
本実施の形態では、スイッチ回路１０２は、選択端子の発電側端子１０２ａへの接続（すなわち、コンデンサ１０３の光発電部１０１への接続）と、選択端子の蓄電側端子１０２ｂへの接続（すなわち、コンデンサ１０３のバッテリー１０５への接続）とを、交互に、かつ定期的に切り替えている。
【００２３】
すなわち、図５に示す期間Ｔ1においては、スイッチ回路１０２は発電側端子１０２ａを選択している。従って、光発電部１０１の発電電力によりコンデンサ１０３が充電される。ここで、図３−１、３−２において説明したように、コンデンサ１０３の充電に要する時間は、コンデンサ１０３の静電容量により異なる。光発電部１０１によってコンデンサ１０３を充電した場合にＶOCまで充電するように要する時間をＴVOCとすると、期間Ｔ1、Ｔ3、Ｔ5、Ｔ7はＴVOCよりも長い期間である。即ち、光発電部１０１でコンデンサ１０３を充電する場合に、期間Ｔ1、Ｔ3、Ｔ5、Ｔ7内で充電が完了するようにコンデンサ１０３の静電容量が設定される。
【００２４】
次に、期間Ｔ1からＴ2に遷移し、スイッチ回路１０２が蓄電側端子１０２ｂを選択すると、コンデンサ１０３が定電流・定電圧回路１０４を介してバッテリー１０５に接続される。これにより、コンデンサ１０３に蓄積された電荷がバッテリー１０５に移動し、バッテリー１０５が充電される。コンデンサ１０３には、光発電部１０１のようにＩSCという出力電流に対する制限がなく、蓄えられた電圧に応じて電流が流れる。従って、図４に示すグラフｃ、ｄの態様よりも高効率でバッテリー１０５を充電することが可能である。コンデンサ１０３によるバッテリー１０５の充電においては、定電流・定電圧回路１０４の機能により図５の期間Ｔ2に示すように充電電流が１Ｃ電流に制限される。
【００２５】
図５に示すように、コンデンサ１０３に蓄積された電荷がバッテリー１０５に移動してコンデンサ１０３の電圧が低下し、コンデンサ１０３の電圧とバッテリー１０５の電圧とが近くなると充電電流が低下する。即ち、図５の期間Ｔ2における充電電流の低下は、定電流・定電圧回路１０４の機能によるものではなく、コンデンサ１０３の電荷が使い尽くされたことによる。また、期間Ｔ2は、コンデンサ１０３から放電状態のバッテリー１０５へ電荷が移動を開始し、コンデンサ１０３の電圧が低下することによってコンデンサ１０３からバッテリー１０５に電流が流れなくなるまでの期間以上の長さとすることが好ましい。この他、期間Ｔ2の長さをコンデンサ１０３からバッテリー１０５へ流れる電流が所定の値よりも低くなるまでの期間以上の長さとしても良い。この所定の電流値とは、例えばバッテリー１０５の１Ｃ電流である。
【００２６】
次に、期間Ｔ2からＴ3に遷移し、スイッチ回路１０２が発電側端子１０２ａを選択すると、再度コンデンサ１０３と光発電部１０１とが接続され、期間Ｔ1と同様に光発電部１０１の発電電力によりコンデンサ１０３が充電される。次に、期間Ｔ3からＴ4に遷移し、スイッチ回路１０２が蓄電側端子１０２ｂを選択し、コンデンサ１０３に蓄積された電荷によって、バッテリー１０５が充電される。図５に示すように、期間Ｔ4においては、期間Ｔ2において充電された充電容量に上乗せする形で充電が行われる。尚、期間Ｔ4においても、バッテリー１０５の電圧は定電流・定電圧回路１０４に設定されている定電流充電と定電圧充電との切り替え閾値には達することなく、コンデンサ１０３の電圧低下により充電電流が低下する。
【００２７】
期間Ｔ4から期間Ｔ5に遷移すると、期間Ｔ1、Ｔ3と同様に、光発電部１０１の発電電力によってコンデンサ１０３が充電される。期間Ｔ5から期間Ｔ6に遷移すると、期間Ｔ2、Ｔ4と同様に、コンデンサ１０３に蓄積された電荷によってバッテリー１０５が充電される。期間Ｔ6においては、期間Ｔ4において充電された充電容量に上乗せする形で充電が行われる。期間Ｔ6においてバッテリー１０５の充電電圧が定電流・定電圧回路１０４に設定されている定電流充電と定電圧充電との切り替え閾値に達し、定電流・定電圧回路１０４がバッテリー１０５の充電を定電流充電から定電圧充電に切り替える。即ち、期間Ｔ6における充電電流の低下は、定電流・定電圧回路１０４の機能により、定電流充電から定電圧充電に切り替えられたことによる。尚、期間Ｔ6においても、バッテリー１０５の充電容量は定格容量に達することなく、コンデンサ１０３の電圧低下により充電電流がゼロとなる。
【００２８】
期間Ｔ6から期間Ｔ7に遷移すると、期間Ｔ1、Ｔ3、Ｔ5と同様に、光発電部１０１の発電電力によってコンデンサ１０３が充電される。期間Ｔ7から期間Ｔ8に遷移すると、期間Ｔ2、Ｔ4、Ｔ6と同様に、コンデンサ１０３に蓄積された電荷によってバッテリー１０５が充電される。期間Ｔ8においては、期間Ｔ6において充電された充電容量に上乗せする形で充電が行われる。また、期間Ｔ8においては、期間Ｔ6においてバッテリー１０５の電圧が定電流・定電圧回路１０４の切り替え閾値に達したため、図５に示すように、最初から低電圧充電となる。即ち、期間Ｔ8の開始時点において充電電流は１Ｃ電流よりも低く、バッテリー１０５の充電電圧の上昇に従って充電電流が低下する。尚、期間Ｔ8において、バッテリー１０５の充電容量が定格容量に達し、バッテリー１０５の充電が完了する。
【００２９】
以上説明したように、本実施の形態に係る電源装置１００においては、光発電部１０１が充電するコンデンサ１０３の静電容量をバッテリー１０５より低く設定することにより、最大出力電流ＩSCが低い場合であっても、コンデンサ１０３を所定電圧値（上記実施例においては、ＶOC）まで迅速に充電する。また、コンデンサ１０３に蓄積された電荷を容量の大きいバッテリーに移すことにより、大容量の充電を可能とする。これにより、出力電流値に限界のある発電手段によって蓄電手段を充電する場合の充電を好適に行うことが可能となる。本実施の形態に係る効果の一例としては、例えばバッテリー１０５の充電において、定電流・低電圧回路１０４を用いることにより、充電開始当初は１Ｃ電流若しくはそれに近い電流で充電することが必須となるような場合が挙げられる。光発電部１０１によって直接バッテリー１０５を充電する場合、上述したとおり充電電流はＩSCに制限される。上述したように、この電流ＩSCが１Ｃ電流よりも低い場合、バッテリー１０５を充電することができないが、本実施の形態に係る態様を用いることにより、ＩSCに制限されることなく、バッテリー１０５に電流を流すことが可能となる。
【００３０】
次に、本実施の形態に係る電源装置１００の適用例について説明する。図６は、本実施の形態に係る電源装置１００を、原稿を光学的に走査して画像情報を生成するスキャナ２００に適用した例を示す。スキャナ２００は、コンタクトガラス２０１上に載置した原稿を光源２０２が露光し、その反射光をミラー２０３により光電変換部２０４に導くことによって原稿の画像情報を生成する。このようなスキャナ２００に対して、光源２０２が発した光を受光可能なように、電源装置１００の光発電部１０１を配置する。このような態様により、スキャナ２００が動作し、光源２０２が発光すると光発電部１０１が光源２０２の光を受光し、電力を生成する。スキャナ２００の動作によって充電された電源装置１００のバッテリー１０５の電力を、スキャナ２００が含まれる画像処理装置の省電力動作時等における予備電源として用いることにより、商用電源の使用量を削減し、省電力化を図ることが可能となる。
【００３１】
尚、実施の形態１の変形例１として、スイッチ回路１０２の選択端子の切り替えについて、例えばコンデンサ１０３の電圧に基づいて実行することができる。図７は、実施の形態１の変形例１の電源装置の回路構成図である。この電源装置７００は、実施の形態１の電源装置１００の構成に加え、コンデンサ１０３の電圧値を検知する電圧検出回路７０１が設けられており、その他の構成は、実施の形態１と同様である。
【００３２】
この変形例１では、スイッチ回路１０２が発電側端子１０２ａを選択した状態において、コンデンサ１０３の電圧値を電圧検出回路７０１で検知して、検知した電圧値が所定電圧に達した時点で蓄電側端子１０２ｂに切り替え、コンデンサ１０３に蓄積された電荷をバッテリー１０５に移しかえる。これにより、光発電部１０１によるコンデンサ１０３の充電が完了し、スイッチ回路１０２の切り替えを待機している状態を短縮し、バッテリー１０５の充電効率を向上することができる。
【００３３】
また、実施の形態１の変形例２として、光発電部１０１からコンデンサ１０３に流れる電流の値に基づいて、スイッチ回路１０２の選択端子を切り替えることもできる。図８は、実施の形態１の変形例２の電源装置の回路構成図である。この電源装置８００は、実施の形態１の電源装置１００の構成に加え、光発電部１０１からコンデンサ１０３に流れる電流値を検知する電流検出回路８０１が設けられており、その他の構成は、実施の形態１と同様である。
【００３４】
この変形例２では、スイッチ回路１０２が発電側端子１０２ａを選択した状態において、光発電部１０１からコンデンサ１０３に流れる電流値を電流検出回路８０１で検知して、検知した電流値が所定の電流値まで降下した時点で蓄電側端子１０２ｂに切り替え、コンデンサ１０３に蓄積された電荷をバッテリー１０５に移しかえる。これにより、光発電部１０１によるコンデンサ１０３の充電が完了し、スイッチ回路１０２の切り替えを待機している状態を短縮し、バッテリー１０５の充電効率を向上することができる。
【００３５】
また、実施の形態１では、最終的に電荷を蓄積する蓄電部としてバッテリー１０５を用いる例を説明したが、蓄電部としてはこれに限定されるものではない。実施の形態１の変形例３は、最終的に電荷を蓄積する蓄電部として、例えばコンデンサを用いたものである。図９は、実施の形態１の変形例３の電源装置９００の回路構成図である。この電源装置９００は、最終的に電荷を蓄積する蓄電部としてコンデンサ１０６を備えており、この他の構成は実施の形態１と同様である。
【００３６】
この場合コンデンサ１０６としては、コンデンサ１０３よりも大きな静電容量を有するものが用いられる。蓄電部としてバッテリー１０５を用いる場合、１Ｃ電流を制御するために定電流・定電圧回路１０４を用いる必要があるが、コンデンサ１０６を用いる場合、１Ｃ電流を制御する必要がなく、定電流・定電圧回路１０４を省略することが可能であるため、生産性を向上することが可能である。また、充電電流が１Ｃ電流に制限されないため、コンデンサ１０３からの電荷の移しかえを、より高効率で実行することが可能となる。他方、コンデンサ１０６は、蓄積された電荷が放電に応じて電圧が降下するため、電力供給の安定性を損なう。従って、バッテリー１０５とコンデンサ１０６とは、電源装置１００の用途等に応じて適宜使い分けることが好ましい。
【００３７】
（実施の形態２）
実施の形態１においては、スイッチ回路１０２によりコンデンサ１０３と光発電部１０１若しくはバッテリー１０５との接続を切り替える例を説明した。本実施の形態においては、スキャナを有する画像処理装置に電源装置１００を用いる場合において、上記の接続切り替え動作を工夫した例を説明する。尚、実施の形態１と同様の符号を付す構成については実施の形態１と同一又は相当部を示し、説明を省略する。
【００３８】
先ず、図１０を参照して一般的なスキャナ２００の光源部の構成について説明する。上述したように、スキャナ２００は、コンタクトガラス２０１上に載置した原稿を光源２０２が露光し、その反射光をミラー２０３により光電変換部２０４に導くことによって原稿の画像情報を生成する。ここで、光源２０２及びミラー２０３は、スキャナヘッド２０５として構成される。スキャンの実行に際しては、スキャナヘッド２０５がコンタクトガラス２０１に対して相対的に移動し、コンタクトガラス２０１上に載置された原稿の全面を光学的に走査する。
【００３９】
実施の形態１の図６に示したように、移動する光源２０２からの受光効率を向上し、光発電効率を向上するため、広範囲に亘って光発電部１０１を設けることが行われている。しかしながら、広い受光部を有する光発電部１０１を用いるとコストが増加し、生産性が低下する。これに対して、光源２０２に対して受光部を固定し、スキャナヘッド２０５の移動に際して受光部も同時に移動するよう構成することもできる。しかしながら、電源装置１００が蓄積した電力を電力供給対象の装置本体に供給するためには、装置本体の電源ユニットと電源装置１００とを接続する必要がある。
【００４０】
例えば、図１に示す電源装置１００の構成のうち、光発電部１０１をスキャナヘッド２０５側に設け、他の構成を装置本体側に設ける場合を考える。このような場合、スキャナヘッド２０５の移動範囲を考慮すると、光発電部１０１とスイッチ回路１０２及びコンデンサ１０３を接続する配線は相応の長さが必要となるが、配線の長さによる抵抗成分を考慮すると、配線を太くする必要がある。しかしながら、太い配線はスキャナヘッド２０５の移動を機械的に妨げる可能性があり、好ましくない。また、光発電部１０１以外の構成もスキャナヘッド２０５側に設けた場合、スキャナヘッド２０５と同時に移動する構成の重量が増加するため、これもスキャナヘッド２０５の移動を機械的に妨げる要因となる。本実施の形態に係る電源装置１００は、このような課題を解決するものであり、スキャナヘッドが原稿に対して相対的に移動することにより原稿の全面を光学的に走査するスキャナにおいて、スキャナヘッドの移動を妨げることなく、スキャナ光源による光発電を好適に行うことを可能とする。
【００４１】
図１１、１２は、本実施の形態に係るスキャナヘッド２０５及び電源装置１１００を示す図である。本実施の形態に係る電源装置１１００は、移動部１１００ａと固定部１１００ｂとを有する。移動部１１００ａと固定部１１００ｂとは分離可能に構成されている。図１１は、移動部１１００ａと固定部１１００ｂとが分離した状態を示し、図１２は、移動部１１００ａと固定部１１００ｂとが接続された状態を示す。移動部１１００ａは、図１１において点線で囲んで示してあり、スキャナヘッド２０５に固定された部分であり、スキャナヘッド２０５がコンタクトガラスに対して相対的に移動する際、スキャナヘッド２０５と一体に移動する。固定部１１００ｂは、電源供給対象であるスキャナに固定された部分である。
【００４２】
図１１に示すように、移動部１１００ａは、光発電部１０１、コンデンサ１１１、スイッチ回路１１２、接続検知スイッチ１１３、突起部１１４及び接続端子１２１を有する。また、固定部１１００ｂは、定電流・定電圧回路１０４、バッテリー１０５、スイッチ回路１１５、突起部１１６、接続検知スイッチ１１７、コンデンサ１１８及び接続端子１２２を有する。移動部１１００ａにおけるコンデンサ１１１は、実施の形態１におけるコンデンサ１０３に相当する。即ち、コンデンサ１１１は、光発電部１０１の発電電力を一時的に保持する。また、固定部１１００ｂにおけるコンデンサ１１８は、移動部１１００ａと固定部１１００ｂとが接続されている状態において、コンデンサ１１１に蓄積された電荷を受け取り、一時的に保持する。本実施の形態においては、コンデンサ１１８に蓄積された電荷がバッテリー１０５に移動することにより、バッテリー１０５が充電される。
【００４３】
移動部１１００ａのスイッチ回路１１２は発電側端子１１２ａと固定部側端子１１２ｂとを有し、コンデンサ１１１が光発電部１０１に接続された状態と接続端子１２１に接続された状態とを切り替える。また、固定部１１００ｂのスイッチ回路１１５は、移動部側端子１１５ａと蓄電側端子１１５ｂとを有し、コンデンサ１１８が接続端子１２２に接続された状態とバッテリー１０５に接続された状態とを切り替える。
【００４４】
接続検知スイッチ１１３は、移動部１１００ａと固定部１１００ｂとが接続されたことを検出し、スイッチ回路１１２の選択端子を切り替える。また、接続検知スイッチ１１７は、移動部１１００ａと固定部１１００ｂとが接続されたことを検出し、スイッチ回路１１５の選択端子を切り替える。接続検知スイッチ１１３及び接続検知スイッチ１１７は夫々凹部を有する。移動部１１００ａと固定部１１００ｂとが接続された状態において、固定部１１００ｂの突起部１１６が接続検知スイッチ１１３の凹部に、移動部１１００ａの突起部１１４が接続検知スイッチ１１７の凹部に夫々挿入される。突起部１１６が接続検知スイッチ１１３の凹部に挿入された状態において、接続検知スイッチ１１３は、スイッチ回路１１２が固定部側端子１１２ｂを選択するように制御する。また、突起部１１４が接続検知スイッチ１１７の凹部に挿入された状態において、接続検知スイッチ１１７は、スイッチ回路１１５が移動部側端子１１５ａを選択するように制御する。
【００４５】
スイッチ回路１１２が発電側端子１１２ａを選択している場合、コンデンサ１１１は光発電部１０１に接続されており、光発電部１０１の発電電力がコンデンサ１１１に蓄積される。この場合、スイッチ回路１１５は蓄電側端子１１５ｂを選択しており、コンデンサ１１８に蓄積された電荷によってバッテリー１０５が充電される。他方、スイッチ回路１１２が固定部側端子１１２ｂを選択している場合、コンデンサ１１１は、接続端子１２１に接続されており、コンデンサ１１１に蓄積された電荷が接続端子１２１を介して固定部１１００ｂに移動する。この場合、スイッチ回路１１５は移動部側端子１１５ａを選択しており、コンデンサ１１８は、接続端子１２２を介してコンデンサ１１１と接続された状態となる。これにより、コンデンサ１１１とコンデンサ１１８とが同電圧になるまで、コンデンサ１１１に蓄積された電荷がコンデンサ１１８に移動する。
【００４６】
図１０において説明したように、スキャナヘッド２０５がコンタクトガラス２０１に対して相対的に移動しながら光源２０２が点灯し、コンタクトガラス２０１上に載置された原稿を光学的に走査する。移動部１１００ａと固定部１１００ｂとは分離している。従って、スイッチ回路１１２は発電側端子１１２ａを選択しており、光発電部１０１の発電電力がコンデンサ１１１に蓄えられる。また、スイッチ回路１１５は蓄電側端子１１５ｂを選択しており、コンデンサ１１８に蓄積された電荷によってバッテリー１０５が充電される。
【００４７】
原稿の走査が完了し、スキャナヘッド２０５がスキャナ本体に対して所定の配置状態（ホームポジション）となる場合において、移動部１１００ａと固定部１１００ｂとが接続される。この場合、スイッチ回路１１２は固定部側端子１１２ｂを選択しており、スイッチ回路１１５は移動部側端子１１５ａを選択している。従って、コンデンサ１１１とコンデンサ１１８とが接続端子１２１、１２２を介して接続されており、コンデンサ１１１とコンデンサ１１８とが同電圧となるまでコンデンサ１１１に蓄積された電荷がコンデンサ１１８に移動する。
【００４８】
ここで、コンデンサ１１１の電圧は、光発電部１０１によってＶOCまで充電されるが、コンデンサ１１１からコンデンサ１１８への電荷の移動はコンデンサ１１８の電圧がコンデンサ１１１と同電圧となった時点で停止するため、コンデンサ１１８の電圧は原則としてＶOC以上にはならない。具体的には、コンデンサ１１１の容量とコンデンサ１１８の容量とが同じである場合、コンデンサ１１１に蓄積された電荷の半分がコンデンサ１１８に移動した時点で両者は同電圧となる。即ち、コンデンサ１１８の電圧はＶOCの半分の値まで上がる。また、コンデンサ１１１がコンデンサ１１８よりも高容量である場合、コンデンサ１１１の電荷の半分未満がコンデンサ１１８に移動した時点で両者は同電圧となる。即ち、コンデンサ１１８の電圧はＶOCの半分よりも高い値まで上がる。また、コンデンサ１１１がコンデンサ１１８よりも低容量である場合、コンデンサ１１１の電荷の半分よりも多くの電荷がコンデンサ１１８に移動した時点で両者は同電圧となる。即ち、コンデンサ１１８の電圧は、ＶOCの半分よりも低い値までしか上がらない。
【００４９】
従って、コンデンサ１１８の容量とコンデンサ１１１の容量とは、光発電部１０１の最大電圧であるＶOCとバッテリー１０５の出力電圧若しくは定格容量に応じて適宜調整することが好ましい。例えば、コンデンサ１１１の容量をコンデンサ１１８よりも高くすると、コンデンサ１１８の充電電圧を高くすることが可能であるが、コンデンサ１１１側に残留する電荷が多いため、結果的にバッテリー１０５の充電効率が落ちる。他方、コンデンサ１１１の容量をコンデンサ１１８よりも低くすると、コンデンサ１１１側に残留する電荷を少なくすることが可能であるが、コンデンサ１１８の充電電圧が低くなる。
【００５０】
このように、本実施の形態に係るスキャナ及び電源装置１１００は、スキャナがスキャン動作を実行中の場合、スキャナ光源による発電電力がスキャナヘッド２０５と一体に移動するコンデンサ１１１に蓄積される。そして、スキャン動作の非実行中においては、スキャナ本体側に設けられたコンデンサ１１８にコンデンサ１１１に蓄積された電荷が移動する。再度スキャナ動作が実行されると、コンデンサ１１８に蓄積された電荷によってバッテリー１０５が充電されると共に、スキャナ光源による発電電力がコンデンサ１１１に蓄積される。このような構成により、スキャナヘッド２０５の移動を機械的に妨げることなく、スキャナ光源による光発電を好適に行うことが可能となる。
【００５１】
尚、上記の説明においては、スキャン動作が行われていない状態において、スキャナヘッド２０５が位置するホームポジションにおいて、移動部１１００ａと固定部１１００ｂとが接続される例を説明した。この他、スキャナヘッド２０５の移動軌跡における複数の位置において、移動部１１００ａと固定部１１００ｂとが接続されるようにすることもできる。このような場合の例を実施の形態２の変形例として図１３に示す。図１３は、移動部１３００ａの接続端子１２１と接続される接続端子１２２をスキャナヘッド２０５の移動軌跡における複数の位置において設けた例を示す図である。図１３においては、複数の接続端子１２２を夫々接続端子１２２ａ、１２２ｂ及び１２２ｃとする。
【００５２】
図１３は、スキャン動作が行われていない状態におけるスキャナヘッド２０５、移動部１３００ａ及び固定部１３００ｂの配置状態を示している。図１３に示すように、電源装置１３００では、非スキャン動作時においては、移動部１３００ａの接続端子１２１は、固定部１３００ｂの接続端子１２２ａに接続されている。この状態において、スイッチ回路１１２は固定部側端子１１２ｂを選択しており、スイッチ回路１１５は移動部側端子１１５ａを選択している。従って、コンデンサ１１８にコンデンサ１１１に蓄積された電荷が移動する。スキャン動作が開始され、図１３の矢印Ｑに沿ってスキャナヘッド２０５及び移動部１３００ａが移動すると、接続端子１２１と接続端子１２２ａとの接続が解除される。この状態の例を図１４に示す。
【００５３】
図１４に示すように、スキャナヘッド２０５及び移動部１３００ａが移動し、接続端子１２１と接続端子１２２ａとの接続が解除されると、スイッチ回路１１２は発電側端子１１２ａを選択し、スイッチ回路１１５は蓄電側端子１１５ｂを選択する。従って、光源２０２の光を受光した光発電部１０１の発電電力がコンデンサ１１１に蓄積される。また、コンデンサ１１８に蓄積された電荷によってバッテリー１０５が充電される。
【００５４】
スキャ動作においてスキャナヘッド２０５及び移動部１３００ａが図１４に示す状態から更に移動すると、図１５に示すように、接続端子１２１と接続端子１２２ｂとが接続される。この場合、スイッチ回路１１２は固定部側端子１１２ｂを選択し、スイッチ回路１１５は移動部側端子１１５ａを選択する。これにより、接続端子１２１と接続端子１２２ａとの接続が解除されてからコンデンサ１１１に蓄積された電荷がコンデンサ１１８に移動する。この状態においてもスキャナヘッド２０５及び移動部１３００ａはスキャン動作中であり、移動を続けている。従って、接続端子１２１と接続端子１２２ｂとが接続されている期間は非常に短い期間となる。しかしながら、実施の形態１において説明したように、コンデンサ１１１からコンデンサ１１８への電荷の移動に際しては、光発電部１０１のようにＩSCに電流が制限されることはないため、迅速に電荷を移動することができる。
【００５５】
スキャナヘッド２０５及び移動部１３００ａが図１５に示す状態から更に移動すると、接続端子１２１と接続端子１２２ｂとの接続が解除される。これにより、図１４と同様に、スイッチ回路１１２は発電側端子１１２ａを選択し、スイッチ回路１１５は蓄電側端子１１５ｂを選択する。従って、光源２０２の光を受光した光発電部１０１の発電電力がコンデンサ１１１に蓄積される。また、コンデンサ１１８に蓄積された電荷によってバッテリー１０５が充電される。この後、更にスキャナヘッド２０５及び移動部１３００ａが移動すると、接続端子１２１と接続端子１２２ｃとが接続される。この場合、図１５と同様に、スイッチ回路１１２は固定部側端子１１２ｂを選択し、スイッチ回路１１５は移動部側端子１１５ａを選択する。これにより、接続端子１２１と接続端子１２２ｂとの接続が解除されてからコンデンサ１１１に蓄積された電荷がコンデンサ１１８に移動する。
【００５６】
また、接続端子１２１と接続端子１２２ｂとの接続期間を長くするため、スキャナヘッド２０５及び移動部１３００ａと固定部１３００ｂとの相対的な移動方向に接続端子１２１及び接続端子１２２ｂの形状を延長しても良い。そのような例について、図１６−１〜１６−５を用いて説明する。図１６−１〜１６−５は、移動部１３００ａが固定部１３００ｂに対して相対的に移動している状態における、接続端子１２１及び接続端子１２２ｂ周辺を模式的に示す図である。図１６−１は、接続端子１２１が接続端子１２２ｂに接続される前の状態を示す図であり、図１４の状態に相当する。
【００５７】
図１６−１に示す状態から更に移動部１３００ａが移動し、図１６−２に示すように接続端子１２１及び接続端子１２２ｂに含まれる夫々の端子が接触すると、図１２に対応する状態となる。ここで、図１６−２に示すように、接続端子１２１及び接続端子１２２ｂに含まれる夫々の端子の形状は、移動部１３００ａが固定部１３００ｂに対して相対的に移動する方向に延長されている。従って、移動部１３００ａが固定部１３００ｂに対して相対的に移動している状態においても、図１６−１〜図１６−４に示す夫々の状態において図１５に示す状態と同様の状態、即ち、コンデンサ１１１がコンデンサ１１８と接続された状態となる。図１６−４に示す状態から更に移動部１３００ａが移動すると、図１６−５に示すように、接続端子１２１と接続端子１２２ｂとの接続が解除される。
【００５８】
図１３に示す例におけるスイッチ回路１１２及びスイッチ回路１１５の選択端子の切り替え制御については、例えば、実施の形態１の図５において説明した期間Ｔ1、Ｔ2、Ｔ3、・・・のように、時間によって制御することができる。ここで、本実施の形態のスイッチ回路１１２の選択端子の切り替え制御においては、図５における接続端子の符号１０２ａを接続端子１１２ａに、図５における接続端子の符号１０２ｂを接続端子１１２ｂに読み替えて適用する。また、スイッチ回路１１５の選択端子の切り替え制御においては、図５における接続端子の符号１０２ａを接続端子１１５ａに、図５における接続端子の符号１０２ｂを接続端子１１５ｂに読み替えて適用する。
【００５９】
期間Ｔ1、Ｔ2、Ｔ3、・・・の各時間は、接続端子１２１と接続端子１２２ａとの接続が解除されてから、接続端子１２１が接続端子１２２ｂと接続されるまでの時間や、接続端子１２１が接続端子１２２ｂと接続されている時間によって決定される。即ち、移動部１３００ａが固定部１３００ｂに対して相対的に移動する速度に基づいて決定される。また、図１１、１２に示す例と同様に、機械的なスイッチによって切り替えても良い。
【００６０】
また、上記の説明においては、固定部１３００ｂにコンデンサ１１８を設け、コンデンサ１１１に蓄積された電荷をコンデンサ１１８に移動した後、コンデンサ１１８に蓄積された電荷によってバッテリー１０５を充電する例を説明した。これにより、移動部１３００ａ側から固定部１３００ｂ側に電荷を移動する際は、バッテリー１０５の１Ｃ電流値の制限を受けることなく、電荷を迅速に移動することが可能である。しかしながら、図１６−１〜１６−５において説明したように、コンデンサ１１１からコンデンサ１１８への電荷の移動時間を確保できる場合、固定部１３００ｂのコンデンサ１１８を省略しても良い。これにより、回路の簡略化を図ることが可能である。また、バッテリー１０５の容量によっては、コンデンサ１１１に残留する電荷を少なくすることが可能であり、充電効率を向上することが可能である。
【００６１】
また、上記の説明においては、移動部１３００ａはスキャナヘッド２０５と一体に設けられる例を説明した。しかしながら、移動部１３００ａはスキャナヘッド２０５と別々に構成されても良く、少なくとも、移動部１３００ａがスキャナヘッド２０５の移動に従って移動することにより、上記と同等の効果を得ることが可能である。
【図面の簡単な説明】
【００６２】
【図１】実施の形態１に係る電源装置の回路構成図である。
【図２】実施の形態１に係る光発電部の出力特性を示す図である。
【図３−１】実施の形態１に係るコンデンサの充電特性を示し、光発電部がコンデンサを充電開始してからの時間経過に対する光発電部の出力電流値（コンデンサを流れる電流）を示す図である。
【図３−２】実施の形態１に係るコンデンサの充電特性を示し、光発電部がコンデンサを充電開始してからの時間経過に対するコンデンサの充電電圧を示す図である。
【図４】実施の形態１に係るバッテリーの充電特性を示す図である。
【図５】実施の形態１に係るバッテリーの充電態様を示す図である。
【図６】実施の形態１に係る電源装置をスキャナへ適用した場合の回路構成を模式的に示す図である。
【図７】実施の形態１の変形例１に係る電源装置の回路構成図である。
【図８】実施の形態１の変形例２に係る電源装置の回路構成図である。
【図９】実施の形態１の変形例３に係る電源装置の回路構成図である。
【図１０】実施の形態２に係るスキャナヘッド及びその周辺を示す図である。
【図１１】実施の形態２に係るスキャナヘッド及び電源装置の回路構成図であり、移動部と固定部とが分離した状態を示す図である。
【図１２】実施の形態２に係るスキャナヘッド及び電源装置の回路構成図であり、移動部と固定部とが接続した状態を示す図である。
【図１３】実施の形態２の変形例に係るスキャナヘッド及び電源装置の回路構成図であり、スキャン動作が行われていない状態を示す図である。
【図１４】実施の形態２の変形例にかかるスキャナヘッド及び電源装置の回路構成図であり、接続端子の接続が解除された状態を示す図である。
【図１５】実施の形態２の変形例にかかるスキャナヘッド及び電源装置の回路構成図であり、接続端子が接続された状態を示す図である。
【図１６−１】実施の形態２の変形例に係る電源装置において、接続端子が接続される前の状態における接続端子周辺の模式図である。
【図１６−２】実施の形態２の変形例に係る電源装置において、接続端子が接続中の状態における接続端子周辺の模式図である。
【図１６−３】実施の形態２の変形例に係る電源装置において、接続端子が接続中の状態における接続端子周辺の模式図である。
【図１６−４】実施の形態２の変形例に係る電源装置において、接続端子が接続中の状態における接続端子周辺の模式図である。
【図１６−５】実施の形態２の変形例に係る電源装置において、接続端子の接続が解除された状態における接続端子周辺の模式図である。
【符号の説明】
【００６３】
１００，７００，８００，９００，１１００，１３００  電源装置
１１００ａ，１３００ａ  移動部
１１００ｂ，１３００ｂ  固定部
１０１  光発電部
１０２  スイッチ回路
１０２ａ  発電側端子
１０２ｂ  蓄電側端子
１０３  コンデンサ
１０４  定電流・定電圧回路
１０５  バッテリー
１０６  コンデンサ
１０７ａ、１０７ｂ  端子
１１１  コンデンサ
１１２  スイッチ回路
１１２ａ  発電側端子
１１２ｂ  固定部側端子
１１３  接続検知スイッチ
１１４  突起部
１１５  スイッチ回路
１１５ａ  移動部側端子
１１５ｂ  蓄電側端子
１１６  突起部
１１７  接続検知スイッチ
１１８  コンデンサ
１２１、１２２、１２２ａ、１２２ｂ、１２２ｃ  接続端子
２００  スキャナ
２０１  コンタクトガラス
２０２  光源
２０３  ミラー
２０４  光電変換部
２０５  スキャナヘッド
【図１】
0005359090.tif 000002
【図２】
0005359090.tif 000003
【図３−１】
0005359090.tif 000004
【図３−２】
0005359090.tif 000005
【図４】
0005359090.tif 000006
【図５】
0005359090.tif 000007
【図６】
0005359090.tif 000008
【図７】
0005359090.tif 000009
【図８】
0005359090.tif 000010
【図９】
0005359090.tif 000011
【図１０】
0005359090.tif 000012
【図１１】
0005359090.tif 000013
【図１２】
0005359090.tif 000014
【図１３】
0005359090.tif 000015
【図１４】
0005359090.tif 000016
【図１５】
0005359090.tif 000017
【図１６−１】
0005359090.tif 000018
【図１６−２】
0005359090.tif 000019
【図１６−３】
0005359090.tif 000020
【図１６−４】
0005359090.tif 000021
【図１６−５】
0005359090.tif 000022